(57)【要約】【課題】製品の高さを低くすることで、従来のスケートボードのデッキとトラックとの間に設けることを可能とし、スケートボードのデッキの傾斜角度を増大させる。【解決手段】スケートボード１のデッキ２の裏面に取付けられる本体上部２０と、前記スケートボードのトラック３に取付けられ、前記本体上部と隙間を設けて対向する本体下部３０と、前記本体上部と前記本体下部とを前記スケートボードの左右方向に回動可能に軸支する軸部４０と、前記本体上部の表面かつ前記軸部の軸線に対応する箇所に設けられた上側弾性体５１、及び前記本体下部の表面かつ前記軸部の軸線に対応する箇所に設けられ前記上側弾性体に対向する下側弾性体５３を備え、前記本体上部と前記本体下部とが回動するときの抵抗となる抵抗部５０と、を備える。【選択図】図１
2019180466.tif 000002
【特許請求の範囲】
【請求項１】
スケートボードのデッキの裏面に取付けられる本体上部と、
前記スケートボードのトラックに取付けられ、前記本体上部と隙間を設けて対向する本体下部と、
前記本体上部と前記本体下部とを前記スケートボードの左右方向に回動可能に軸支する軸部と、
前記本体上部の表面かつ前記軸部の軸線に対応する箇所に設けられた上側弾性体、及び前記本体下部の表面かつ前記軸部の軸線に対応する箇所に設けられ前記上側弾性体に対向する下側弾性体を備え、前記本体上部と前記本体下部とが回動するときの抵抗となる抵抗部と、
を備えることを特徴とするスケートボード用アタッチメント。
【請求項２】
前記上側弾性体と前記下側弾性体との間に平板を備えることを特徴とする請求項１に記載のスケートボード用アタッチメント。
【請求項３】
前記平板の周辺が傘状に湾曲しており、前記平板が前記上側弾性体又は前記下側弾性体に被せられていることを特徴とする請求項２に記載のスケートボード用アタッチメント。
【請求項４】
前記平板が２枚設けられ、前記平板の凸側が互いに対向されていることを特徴とする請求項３に記載のスケートボード用アタッチメント。
【請求項５】
前記本体上部及び前記本体下部の表面に、前記上側弾性体及び前記下側弾性体の位置決めをする突起を備えることを特徴とする請求項１ないし４のいずれか１項に記載のスケートボード用アタッチメント。
【請求項６】
前記上側弾性体及び前記下側弾性体がゴムであることを特徴とする請求項１ないし５のいずれか１項に記載のスケートボード用アタッチメント。
【請求項７】
前記抵抗部を前記軸部の軸線方向に複数設置可能なことを特徴とする請求項１ないし６のいずれか１項に記載のスケートボード用アタッチメント。
【発明の詳細な説明】
【技術分野】
【０００１】
本発明は、スケートボードのデッキとトラックとの間に取付けられるスケートボード用アタッチメントに関し、詳しくは、スケートボードを旋回させる際に、デッキが左右方向に傾斜する角度を増大させるためのスケートボード用アタッチメントに関する。
【背景技術】
【０００２】
従来、スケートボード又はスケートボードに類似する乗り物として、特開平１１−３３１５９号公報に、搭乗部と車軸との間に左右方向に回動可能な角度調整機構を備え、この角度調整機構をその左右方向に設けた２つのコイルスプリングで支持する滑走用乗り物が開示されている（上記文献の図３及び図４参照。）。
【先行技術文献】
【特許文献】
【０００３】
【特許文献１】特開平１１−３３１５９号公報
【発明の概要】
【発明が解決しようとする課題】
【０００４】
特許文献１に開示されている技術をスケートボードに応用したとき、スケートボードのデッキの傾斜角度を増大させることは可能である。しかし、左右方向に設けた２つのコイルスプリングを用いて支持していることから、角度調整機構の高さが嵩み、スケートボードに応用しようとすると、車軸を含めたトラックから専用に製作しなければならないという課題があった。
【０００５】
本発明は、上記の点に鑑みなされたもので、スケートボードのデッキの傾斜角度を増大させながら、製品の高さを低くすることで、従来のスケートボードのデッキとトラックとの間に設けることを可能とするスケートボード用アタッチメントを提供することを目的とする。
【課題を解決するための手段】
【０００６】
（１）本発明のスケートボード用アタッチメントは、
スケートボードのデッキの裏面に取付けられる本体上部と、
前記スケートボードのトラックに取付けられ、前記本体上部と隙間を設けて対向する本体下部と、
前記本体上部と前記本体下部とを前記スケートボードの左右方向に回動可能に軸支する軸部と、
前記本体上部の表面かつ前記軸部の軸線に対応する箇所に設けられた上側弾性体、及び前記本体下部の表面かつ前記軸部の軸線に対応する箇所に設けられ前記上側弾性体に対向する下側弾性体を備え、前記本体上部と前記本体下部とが回動するときの抵抗となる抵抗部と、
を備えることを特徴とする。
【０００７】
本発明のスケートボード用アタッチメントによれば、本体上部、本体下部、及び軸部によって、デッキとトラックとが左右方向に回動可能に連結される。これにより、トラックのみによる傾斜可能な角度に加えて、本発明のスケートボード用アタッチメントによる傾斜角度が加わり、スケートボードを深く左右方向に傾斜させることができる。
【０００８】
また、本体上部と本体下部とは隙間を設けて対向されており、この隙間に本体上部と本体下部とが回動するときの抵抗となる抵抗部が設けられる。この抵抗部は、互いに対向される上側弾性体と下側弾性体であるため、浅い傾斜角度のときには、上側弾性体と下側弾性体とが撓むことによって本体上部と本体下部とが回動可能となる。そして、深い傾斜角度のときには、上側弾性体と下側弾性体とが折れ曲がるような状態となって、本体上部と本体下部とが回動する。これにより、上側弾性体と下側弾性体との長さを短くしながら、抵抗部として必要な抵抗と曲げ角度を得ることができ、製品の高さを抑えることができる。
【０００９】
（２）本発明のスケートボード用アタッチメントの好ましい例は、
前記上側弾性体と前記下側弾性体との間に平板を備えることを特徴とする。
【００１０】
本発明のスケートボード用アタッチメントの好ましい例によれば、上側弾性体と下側弾性体との間に平板を備えるため、上側弾性体又は下側弾性体の撓みを抑制し、抵抗部の抵抗を増大させることができる。
【００１１】
（３）本発明のスケートボード用アタッチメントの好ましい例は、
前記平板の周辺が傘状に湾曲しており、前記平板が前記上側弾性体又は前記下側弾性体に被せられていることを特徴とする。
【００１２】
本発明のスケートボード用アタッチメントの好ましい例によれば、平板の周辺が傘状に湾曲しており、上側弾性体又は下側弾性体に被せられているため、平板が脱落することがなく、平板を保持するための特別な機構が不要となる。また、上側弾性体と下側弾性体との突き合わせ部分のずれを防止することができる。
【００１３】
（４）本発明のスケートボード用アタッチメントの好ましい例は、
前記平板が２枚設けられ、前記平板の凸側が互いに対向されていることを特徴とする。
【００１４】
本発明のスケートボード用アタッチメントの好ましい例によれば、平板が２枚設けられ、平板の凸側が互いに対向されているため、上側弾性体及び下側弾性体の双方の撓みを抑制し、抵抗部の抵抗を増大させることができる。また、上側弾性体と下側弾性体との突き合わせ部分のずれを、より効果的に防止することができる。
【００１５】
（５）本発明のスケートボード用アタッチメントの好ましい例は、
前記本体上部及び前記本体下部の表面に、前記上側弾性体及び前記下側弾性体の位置決めをする突起を備えることを特徴とする。
【００１６】
本発明のスケートボード用アタッチメントの好ましい例によれば、本体上部及び本体下部の表面に、上側弾性体及び下側弾性体が嵌合する突起を備えるため、特別な固定手段を設けることなく上側弾性体と下側弾性体の位置ずれを防止することができる。
【００１７】
（６）本発明のスケートボード用アタッチメントの好ましい例は、
前記上側弾性体及び前記下側弾性体がゴムであることを特徴とする。
【００１８】
本発明のスケートボード用アタッチメントの好ましい例によれば、上側弾性体及び下側弾性体がゴムであるため、製品の高さをさらに抑えることができる。
【００１９】
（７）本発明のスケートボード用アタッチメントの好ましい例は、
前記抵抗部を前記軸部の軸線方向に複数設置可能なことを特徴とする。
【００２０】
本発明のスケートボード用アタッチメントの好ましい例によれば、抵抗部を軸部の軸線方向に複数設置可能なため、抵抗部の数を増減させることで、左右方向に傾斜させるときに任意の抵抗を得ることができる。
【発明の効果】
【００２１】
以上、説明したように、本発明のスケートボード用アタッチメントによれば、スケートボードのデッキの傾斜角度を増大させながら、製品の高さを低くすることで、従来のスケートボードのデッキとトラックとの間に設けることを可能とする。
【図面の簡単な説明】
【００２２】
【図１】本発明の一実施形態に係るスケートボード用アタッチメントのスケートボードへの取付を説明する図である。
【図２】スケートボード用アタッチメントの組立図である。
【図３】スケートボード用アタッチメントが傾斜する様子を説明する図である。
【発明を実施するための形態】
【００２３】
以下、本発明のスケートボード用アタッチメント１０の実施の形態について、添付図面を参照して詳細に説明する。なお、図を見やすくするため、図１〜図３は、その上下方向を逆にして記載している。
【００２４】
先ず、本実施形態のスケートボード用アタッチメント１０によって、デッキ２を通常より左右方向に深く傾斜させる目的であるが、スノーボード等の他の競技の練習に適するからである。これは、スノーボードは、ボードを滑走時に左右方向に大きく傾斜させるのであるが、通常のスケートボード１はそこまで傾斜させることができず、スノーボード同様の傾斜角度を再現することはできない。ここで、本実施形態のスケートボード用アタッチメント１０を用いることによって、デッキ２を大きく傾斜させることができる。これにより、スケートボード１でスノーボードによる滑走に近い感触を得ることができ、雪がない場所においてもスノーボードの練習をすることができるのである。
【００２５】
ここから、本実施形態のスケートボード用アタッチメント１０の構成を説明する。図１及び図２に示すように、本実施形態のスケートボード用アタッチメント１０は、本体上部２０と、本体下部３０と、軸部４０と、抵抗部５０とを備える。
【００２６】
本体上部２０は、スケートボード１のデッキ２の裏面に取付けられるもので、基部２１と、立設部２２と、突起２４とを備える。基部２１は、平面視矩形をなす平板状の部材であり、その四隅近傍にはスケートボード１のデッキ２に取付けるための孔２５が設けられている。立設部２２は、基部２１の前後方向の端部から立設された正面視略三角形の板材である。立設部２２の上端近傍には、軸部４０が挿入される軸孔２３が設けられる。突起２４は、基部２１の表面ｆのうち、前記軸孔２３の軸線ｘに対応する箇所に設けられるものであり、抵抗部５０の位置決めをするためのものである。本実施形態では、突起２４を円錐状として３つ設けている。
【００２７】
本体下部３０は、スケートボード１のトラック３に取付けられるもので、上記本体上部２０と隙間を設けて対向するよう設けられる。この本体下部３０は、本体上部２０同様の構成をしており、基部３１と、立設部３２と、突起３４と、軸孔３３等を備える。なお、本体下部３０は、本体上部２０と組み合わせるため、基部３１の前後方向の長さが本体上部２０と比較して若干短くされており、対向する立設部３２が本体上部２０の立設部２２の内側に嵌まるように構成されている。また、軸孔３３には、軸部４０を螺着するための雌ねじが設けられている。
【００２８】
軸部４０は、本体上部２０と本体下部３０とをスケートボード１の左右方向に回動可能に軸支するもので、本実施形態ではボルトを用いている。この軸部４０が、本体上部２０及び本体下部３０の軸孔２３，３３に連通するとともに本体下部３０の軸孔３３に設けられた雌ねじに螺着されることで、本体上部２０と本体下部３０とが軸部４０を支点に回動可能となる。なお、軸部４０は、本体上部２０と本体下部３０とをスケートボード１の左右方向に回動可能に軸視できればよく、上記の例に限られない。例えば、軸部４０として公知のボルト、ナット、ピン、軸受、蝶番等様々なものを採用することができる。
【００２９】
抵抗部５０は、本体上部２０と本体下部３０とが軸部４０を支点に回動するときの抵抗となるもので、上側弾性体５１、下側弾性体５３、及び平板５４，５５を備える。上側弾性体５１は、本体上部２０の表面ｆかつ上記軸部４０の軸線ｘに対応する箇所に設けられるもので、本実施形態では本体上部２０の突起２４に嵌められる形で設けられる。この上側弾性体５１は、略円錐台形をなすゴムであり、その中央に上下方向に貫通する孔５２が設けられる。この孔５２が本体上部２０の突起２４に嵌められ、上側弾性体５１の位置が定められる。
【００３０】
下側弾性体５３は、本体下部３０の表面かつ上記軸部４０の軸線ｘに対応する箇所に設けられ、上側弾性体５１に対向するものである。下側弾性体５３の構成は、上側弾性体５１と略同じであり、本体下部３０の突起３４に嵌められる。なお、上側弾性体５１より下側弾性体５３の方が若干小さく構成されているが、これは、上側弾性体５１と下側弾性体５３に、スケートボード１のトラック３のキングピン４に装着されるブッシュゴム５（図１参照）を採用しているためである。もっとも、上側弾性体５１と下側弾性体５３とは、上記のブッシュゴム５に限られず、他のゴム、コイルスプリング等、その他の弾性体を用いることもできる。また、上側弾性体５１と下側弾性体５３とにコイルスプリング等の金属を用いた場合、上側弾性体５１と本体上部２０、下側弾性体５３と本体下部３０との位置決め又は接合に、溶接、ネジ止め等の方法を用いることもできる。
【００３１】
平板５４，５５は、上側弾性体５１と下側弾性体５３との間に設けられるもので、本実施形態では上側弾性体５１側と下側弾性体５３側との２枚を備えている。この平板５４，５５は、ワッシャの周辺を傘状に湾曲されたものが採用され、それぞれが上側弾性体５１と下側弾性体５３とに被せられている。また、２枚の平板５４，５５の凸側が互いに対向される。本実施形態では、この平板５４，５５にもスケートボード１に装着されるブッシュゴム５に用いられるワッシャ６を採用している。
【００３２】
この抵抗部５０の、上側弾性体５１、下側弾性体５３、及び２枚の平板５４，５５を組み合わせたときの高さｈは、本体上部２０と本体下部３０との隙間ｓ１より１〜３ｍｍ程度高く構成されることが好ましい（図３（Ａ）（Ｂ）参照）。これは、本体上部２０と本体下部３０とが左右方向に傾斜していない中立状態での保持力を高めるためである。このため、本体上部２０と本体下部３０との組立には、本体上部２０と本体下部３０との間に抵抗部５０を挟んだ状態で本体上部２０と本体下部３０とを万力等で挟み、抵抗部５０を図中矢印ａ方向に圧縮して行なう。
【００３３】
また、抵抗部５０は、軸部４０の軸線ｘ方向に複数設置可能となっている。本実施形態では、抵抗部５０を、突起２４，３４の数の分だけ任意に増減させることができ、１ないし３の間で任意の数を選択することができる。これは、本実施形態のスケートボード用アタッチメント１０をスケートボード１に装着したとき、スケートボード１の前輪側は比較的抵抗部５０の抵抗が大きい方が好まれる。このため、例えば、前輪側の抵抗部５０を２つ又は３つとし、後輪側を１つとして抵抗部５０の抵抗の大きさを調整するためである。また、抵抗部５０に用いられる上側弾性体５１及び下側弾性体５３は、スケートボード１用の汎用部品であるブッシュゴム５を用いることは既に述べたが、このブッシュゴム５も硬さや形状が複数用意されている。このため、ブッシュゴム５の硬さや形状を変更することでも抵抗部５０の抵抗の大きさを調整することができる。さらに、抵抗部５０に用いられる平板５４，５５の数を減らすことでも、抵抗部５０の抵抗の大きさを調整することができる。
【００３４】
次に、図３（Ａ）〜（Ｆ）を参照して、本実施形態のスケートボード用アタッチメント１０が左右方向に傾斜する様子を説明する。図３（Ａ）はスケートボード用アタッチメント１０が中立状態での正面図、図３（Ｂ）はそのときの抵抗部５０を模式的に表わした縦断面図である。図３（Ｃ）はスケートボード用アタッチメント１０が少し傾斜した状態での正面図、図３（Ｄ）はそのときの抵抗部５０を模式的に表わした縦断面図、図３（Ｅ）はスケートボード用アタッチメント１０が大きく傾斜した状態での正面図、図３（Ｆ）はそのときの抵抗部５０を模式的に表わした縦断面図である。
【００３５】
図３（Ａ）（Ｂ）に示すように、スケートボード用アタッチメント１０が左右方向に傾斜しない中立状態では、上側弾性体５１及び下側弾性体５３は、特に変形することなく突起２４と突起３４の間に収まり、突き合わせ部分５６が互いに対向している。なお、既に述べたように、抵抗部５０は図中矢印ａ方向に圧縮されて本体上部２０と本体下部３０との間に設けられているため、スケートボード用アタッチメント１０は中立状態において比較的強い力で保たれている。このため、スケートボード１の搭乗者が、この中立状態において特に不安定になることはない。
【００３６】
次に、図３（Ｃ）（Ｄ）に示すように、スケートボード１の旋回のために、デッキ２を少し左右方向に傾斜させたとき、本実施形態のスケートボード用アタッチメント１０も左右方向に少し傾斜する。このとき、上側弾性体５１及び下側弾性体５３が撓むことによって、抵抗部５０が曲がる。そして、旋回の遠心力と均衡した状態となって、スケートボード１は旋回していく。なお、旋回するときには、スケートボード１のトラック３も左右方向に傾斜され、トラック３の傾斜角度とスケートボード用アタッチメント１０の傾斜角度とを合わせた角度が、デッキ２の傾斜角度となる。
【００３７】
次に、図３（Ｅ）（Ｆ）に示すように、スケートボード１の旋回のためにデッキ２をさらに左右方向に傾斜させたとき、本実施形態のスケートボード用アタッチメント１０も左右方向に大きく傾斜する。このとき、抵抗部５０が上側弾性体５１と下側弾性体５３とを備えるため、上側弾性体５１及び下側弾性体５３が撓むとともに、上側弾性体５１と下側弾性体５３との間に隙間ｓ２が生じる。この隙間ｓ２によって、通常の連続した１本で構成された弾性体であればゴムが破断又は金属が降伏してしまうような状態であっても、抵抗部５０を大きく曲げることができる。また、隙間ｓ２が生じることにより、上側弾性体５１及び下側弾性体５３が変形によって劣化することが少ない。これにより、抵抗部５０の高さを抑えることができるとともに、繰り返しの使用に耐えることができ、製品の耐久性を向上させることもできる。なお、上側弾性体５１及び下側弾性体５３の材質又は形状によっては、上側弾性体５１及び下側弾性体５３が撓むだけで隙間ｓ２が生じないこともある。
【００３８】
また、平板５４，５５の周辺が傘状に湾曲して上側弾性体５１と下側弾性体５３とに被せられていることで、平板５４，５５を上側弾性体５１及び下側弾性体５３に対して保持させることができる。また、平板５４，５５を付き合わせていること、及び平板５４，５５同士の摩擦力が比較的弱いために、スケートボード用アタッチメント１０が左右方向への傾斜を繰り返した後、中立状態に戻ったときに、上側弾性体５１と下側弾性体５３とが元の位置に速やかに戻る。これにより、上側弾性体５１と下側弾性体５３とが互いにその位置がずれることがなく、常に互いの突き合わせ部分５６が対向した状態を保つことができ、上側弾性体５１と下側弾性体５３の脱落を防止することができる。このため、本実施形態のように、抵抗部５０の位置決めに突起２４，３４を設けるだけで足り、製品の構成を簡素な物とすることができる。また、突起２４，３４を円錐状としているため、突起と、上側弾性体５１及び下側弾性体５３の孔５２，５７との間に空間を設けることができ、スケートボード用アタッチメント１０の傾斜時における、上側弾性体５１及び下側弾性体５３の変形を逃がすことができる。
【００３９】
以上、説明したように、本発明のスケートボード用アタッチメント１０によれば、本体上部２０と本体下部３０とが回動するときの抵抗となる抵抗部５０が、上側弾性体５１と下側弾性体５３とを備え、抵抗部５０の長さ方向に分断されているため、上側弾性体５１と下側弾性体５３とを合わせた長さを短くしても、回動に対する十分な抵抗と曲げ角度を得ることができ、スケートボード用アタッチメント１０の高さを抑えることができる。これにより、通常のスケートボード１のデッキ２とトラック３との間に取付けることができ、汎用性を高めることができる。また、車軸を含めたトラック３を専用に製作する必要がなくなる。
【００４０】
また、上側弾性体５１と下側弾性体５３との間に平板５４，５５（ワッシャ）を挟んでいるため、本体上部２０と本体下部３０とが回動を繰り返しても、傾斜角度が中立状態となったときに、平板５４，５５同士が滑って上側弾性体５１と下側弾性体５３とが元の位置に戻る。このため、本体上部２０と本体下部３０に設けられた突起２４，３４のような簡素なものでも、上側弾性体５１と下側弾性体５３とがずれることなくその位置を保持することができる。
【００４１】
また、上側弾性体５１と下側弾性体５３とに、スケートボード１用の汎用部品であるブッシュゴム５を採用しているため、部材の入手が簡単であり、メンテナンス性に優れる。さらに、ブッシュゴム５の硬さや形状、抵抗部５０の数の増減をすることにより、スケートボード用アタッチメント１０が傾斜するときの抵抗を容易に調整することができる。
【００４２】
なお、上述したスケートボード用アタッチメントは、本発明の例示であり、発明の趣旨を逸脱しない範囲において、その構成を適宜変更することができる。
【符号の説明】
【００４３】
１・・スケートボード、２・・デッキ、３・・トラック、４・・キングピン、５・・ブッシュゴム、６・・ワッシャ、
１０・・スケートボード用アタッチメント、
２０・・本体上部、２１・・基部（本体上部）、２２・・立設部（本体上部）、２３・・軸孔（本体上部）、２４・・突起（本体上部）、２５・・孔（本体上部）、
３０・・本体下部、３１・・基部（本体下部）、３２・・立設部（本体下部）、３３・・軸孔（本体下部）、３４・・突起（本体下部）、
４０・・軸部、
５０・・抵抗部、５１・・上側弾性体、５２・・孔（上側弾性体）、５３・・下側弾性体、５４，５５・・平板、５６・・突き合わせ部分、５７・・孔（下側弾性体）、
ｘ・・軸線、ｓ１，ｓ２・・隙間、ｈ・・高さ、
【図１】
2019180466.tif 000003
【図２】
2019180466.tif 000004
【図３】
2019180466.tif 000005